(57)【特許請求の範囲】
【請求項１】
冊子状媒体の搬送路上側には、円周が高摩擦部と低摩擦部で構成された改頁ローラを先端に有し、円弧運動を行い、媒体搬送時にはリセット位置に位置し、上側の搬送路がガイドとなるアームを有し、
搬送路下側には、下側の搬送路ガイドとなる位置をリセット位置とし、前記アームを円弧運動させ先端の前記改頁ローラで押さえることにより押圧力を発生する押圧手段となるフローティングガイドを形成することを特徴とする冊子状媒体の改頁機構。
【請求項２】
アーム及びフローティングガイドをリセット後、媒体位置をセットし、アームを円弧運動させ、改頁ローラの低摩擦部で媒体をフローティングガイドに押しつける請求項１に記載の冊子状媒体の改頁機構。
【請求項３】
改頁ローラを、改頁ローラと媒体が接する面が低摩擦部から高摩擦部に成り代わり高摩擦部円周の半ばになるまで回転させる請求項１に記載の冊子状媒体の改頁機構。
【請求項４】
アームをフローティングガイドの押圧力がなくなる以上の位置まで円弧運動させる請求項１に記載の冊子状媒体の改頁機構。
【請求項５】
アームの円弧運動時、改頁ローラをアームの円弧運動方向と同じ方向へ回転させる請求項４に記載の冊子状媒体の改頁機構。
【請求項６】
アームの円弧運動の途中で、改頁ローラをアームの円弧運動方向と同じ方向へ回転させる動作を止める請求項５に記載の冊子状媒体の改頁機構。
【請求項７】
改頁ローラを回転させ、改頁した側が先頭となる方向へ媒体を搬送する請求項１に記載の冊子状媒体の改頁機構。
【請求項８】
冊子状媒体の搬送路上側には、円周が高摩擦部と低摩擦部で構成された改頁ローラを先端に有し、円弧運動を行い、媒体搬送時にはリセット位置に位置し、上側の搬送路がガイドとなるアームを有し、
搬送路下側には、下側の搬送路ガイドとなる位置をリセット位置とし、前記アームを円弧運動させ先端の前記改頁ローラで押さえることにより押圧力を発生する押圧手段となるフローティングガイドを形成し、
前記アーム及びフローティングガイドをリセット後、媒体位置をセットし、前記アームを円弧運動させ、前記改頁ローラの低摩擦部で媒体を前記フローティングガイドに押しつけ、
前記改頁ローラを、前記改頁ローラと媒体の接する面が低摩擦部から高摩擦部に置き代わり、高摩擦部円周の半ばに成るまで回転させ、
前記アームを前記フローティングガイドの押圧力がなくなる以上の位置まで円弧運動させると同時に前記改頁ローラを前記アームの円弧運動方向と逆の方向へ回転させることを特徴とする冊子状媒体の改頁機構。
【請求項９】
前記アームを前記フローティングガイドの押圧力がなくなる以上の位置まで円弧運動させると同時に前記改頁ローラを前記アームの円弧運動方向と逆の方向へ回転させる動作の後に、前記改頁ローラのみを更に回転させる請求項８に記載の冊子状媒体の改頁機構。
【発明の詳細な説明】
【０００１】
【発明の属する技術分野】
本発明は、銀行等の金融機関において使用される通帳取扱い装置における自動改頁機構に関し、特に改頁しようとする目的ページのみ改頁を確実に行うことができる冊子状媒体の改頁機構に関する。
【０００２】
【従来の技術】
従来の自動改頁機構においては、アームに回転可能に支持された改頁ローラの一部を摩擦部材で形成し、前記アームは回転可能に取付けられ、前記アームに形成され、前記改頁ローラの回転により捲り上げられた頁の先端を係止する係止部と、冊子状媒体の搬送路に対して前記改頁ローラの反対側に配設され、搬送路側からの押圧により斜めに傾く被押圧部材とを設けた構成であった。
【０００３】
【発明が解決しようとする課題】
しかし、上記の構成による自動改頁機構であっても、改頁しようとする目的のページのみ改頁し、それ以外のページ即ち目的のページと（裏）表紙の間にあるページを改頁しないということを確実に行うことは困難であった。
【０００４】
本発明は、改頁処理において、改頁しようとする目的のページ、つまり後述する改頁ローラ３に直接接するページ即ち中紙２（ａ）のみ改頁して、それ以外のページ、つまり中紙２（ａ）と（裏）表紙の間にあるページ即ち中紙２（ｂ）〜２（ｆ）を改頁しない冊子状媒体の改頁機構を提供することを目的とする。
【０００５】
【課題を解決するための手段】
そのため、本発明は、冊子状媒体の搬送路の上側には、円周が高摩擦部と低摩擦部でなる改頁ローラを先端部に設け、円弧運動を行い、媒体走行時にはリセット位置に位置し、上側の搬送路がガイドとなるアームを設け、搬送路の下側には、下側の搬送路ガイドとなる位置をリセット位置とし、前記アームを円弧運動させ先端部の前記改頁ローラで押さえると押圧力を発生する押圧手段となるフローティングガイドを有する構成とする。
【０００６】
上記構成の本発明によれば、改頁しようとする目的のページのみ改頁し、それ以外のページ、つまり目的のページと（裏）表紙の間にあるページを改頁しないことを確実に行うことが可能となる。
【０００７】
【発明の実施の形態】
以下、本発明に係わる第１の実施形態を図面にしたがって説明する。なお各図面に共通する構成品には同一符号を付す。
【０００８】
図１は本発明の第１の実施形態を示す構成図であって、１は搬送路ローラで図示しない駆動手段により回転し、冊子状媒体２（以下通帳という）を搬送する。通帳２の搬送路上側には改頁ローラ３（ａ），３（ｂ）が配設され、この改頁ローラ３（ａ），３（ｂ）の円周はゴム等からなる高摩擦部４と、プラスチック系等のポリアセタール面よりなる低摩擦部５で構成されている。なお、この改頁ローラ３（ａ），３（ｂ）はアーム６（ａ），６（ｂ）に支持されており、アーム６（ａ），６（ｂ）は図示しない駆動手段により円弧運動を行う。アーム６（ａ），６（ｂ）が円弧運動しても改頁ローラ３（ａ），３（ｂ）は円弧上の任意の位置で図示しない駆動手段により回転する。又、アーム６（ａ），６（ｂ）と改頁ローラ３（ａ），３（ｂ）は、図１のようにそれぞれ１セットになっており、搬送路上側で相互に対向して、２セット設けられている。
【０００９】
前記２個の改頁ローラ３（ａ），３（ｂ）に対応する通帳２の搬送路下側の位置には、押圧手段７が設けられている。前記２セットのアーム６（ａ），６（ｂ）と押圧手段７は改頁処理時でない場合は、図１に示すようなリセット位置の状態になっており、搬送路のガイドとなっている。押圧手段７はリセットスプリング８によりセットされている。改頁処理が必要になったとき、通帳２を押圧手段７の上にセットし、アーム６（ａ），６（ｂ）を円弧運動させて、改頁ローラ３（ａ），３（ｂ）で通帳２を押圧手段７に押し付けることにより押圧力を得ることができる構造になっている。改頁中通帳２は搬送ローラ１で保持されている。
【００１０】
図２は本発明の第１の実施形態の平面図であって、図１の構成中、表示される部分のみ符号を付してある。
【００１１】
次に、本発明の第１の実施形態の改頁機構の動作過程について図１及び図３〜図１０にしたがって説明する。
【００１２】
まず、通帳２を改頁位置にセットするため、図１に示すように装置をリセット状態にする。すなわち、２セットのアーム６（ａ），６（ｂ）は、上側搬送路を形成するホーム位置にする。さらにアーム６（ａ），６（ｂ）に支持された改頁ローラ３（ａ），３（ｂ）は高摩擦部４が、通帳２の走行の障害にならないように搬送路側でない方向である搬送路上側に向け、低摩擦部５を搬送路側に向ける。その状態において通帳２を図１に示す位置にセットする。
【００１３】
次に、図３に示すようにアーム６（ａ）を通帳２の押圧手段７上に押し付ける。さらにアーム６（ｂ）を搬送路から離れる方向（矢印Ａ）に移動させる。この実施形態では、アーム６（ａ）をホーム位置から通帳２を押し付ける方向（矢印Ｂ）に２３．５°円弧運動させている。この時、押圧手段７は回転支点部９を支点に回転し、リセットしようとする方向にリセットスプリング８の押圧力を改頁ローラ３（ａ）と通帳２の接触面に与えている。
【００１４】
次に、図４のようにアーム６（ａ）上の改頁ローラ３（ａ）を回転させる。回転方向は図４中の矢印Ｃが示す逆時計廻りである。
【００１５】
改頁ローラ３（ａ）には、図示しない位相検出手段があり、図５に示す位置のところまで改頁ローラ３（ａ）を回転させた後、停止させる。図５でつくり出した通帳２の捲くろうとする中紙２（ａ）の弧状の形状は、改頁ローラ３（ａ）の高摩擦部４を低摩擦部５に置き替えたら、中紙２（ａ）の弧が自力で平面に戻るレベルの大きさの弧とする。
【００１６】
次に、図６に示す位置までアーム６（ａ），６（ｂ）を円弧運動させる。なお、図６に示す位置は、アーム６（ａ）のリセット位置である。
【００１７】
本発明は改頁処理において、前述したように改頁しようとする目的ページ、つまり改頁ローラ３に直接接するページ即ち中紙２（ａ）のみ改頁して、それ以外のページ、つまり中紙２（ａ）と（裏）表紙２（ｅｎｄ）の間にあるページ即ち中紙２（ｂ）〜２（ｆ）を改頁しない機構とすることが目的である。
【００１８】
従来例では、前述した説明のように図４での改頁ローラ３の回転の際、図５の位置で停止させたりせずに、一気に改頁ローラ３（ａ）を回転させていた。このような動作をさせることにより、▲１▼目的のページ即ち中紙２（ａ）以外のページ即ち中紙２（ｂ）までが一緒に改頁されたり、又、▲２▼目的のページ即ち中紙２（ａ）すら改頁されなかったりしていた。
【００１９】
その不具合を解消するため、本発明では図４の位置で改頁ローラ３（ａ）を一気に回転させたりせずに、この実施形態（図４）で説明しているように、アーム６を円弧運動させている（ただし、アーム６の円弧運動により、改頁ローラ３は連動して回転する）。その円弧運動の過程が、上記従来例▲１▼、▲２▼の不具合を解消する手段となっている。
【００２０】
以下、そのアーム６の運動途中の図である図７を用いて上記▲１▼、▲２▼の不具合を解消する機構について説明する。
【００２１】
図７の改頁ローラ３（ａ）と通帳２が接している状態を拡大した図が図８である。図８中の矢印について説明すると、矢印Ａは押圧手段７が押圧力を出す方向、矢印Ｂはアーム６（ａ）の円弧運動方向、矢印Ｃはアーム６（ａ）の円弧運動の影響で改頁ローラ３（ａ）がアーム６（ａ）に連動して回転する方向、矢印Ｄは捲くろうとする中紙２（ａ）が弧の形状をとったことにより改頁ローラ３（ａ）の高摩擦部４に中紙２（ａ）が自分自体を押しつける力の方向、矢印Ｅは捲くろうとはしていない中紙２（ｂ）〜２（ｆ）が、自分自体の腰の方向に伸びようとする方向（紙がたいらに伸びようとする方向）、矢印Ｆは捲くろうとする中紙２（ａ）が結果として動いていく方向を示している。
【００２２】
捲くろうとする中紙２（ａ）は、搬送ローラ１で一端を保持し、捲くる側の端部は前述したように弧の形状をとったことにより高摩擦部４との間でテンションを得ている。アーム６（ａ）が矢印Ｂ方向への円弧運動に連動して改頁ローラ３（ａ）が矢印Ｃ方向に回転し、中紙２（ａ）が矢印Ｆ方向に動いているとき、捲くろうとしない中紙２（ｂ）〜２（ｆ）は、アーム６（ａ）の矢印Ｂ方向への円弧運動の結果、押圧手段７の押圧力が減少するので捲くられる方向へ動き始める可能性はしだいに低下する。さらにアーム６（ａ）の矢印Ｂ方向へ円弧運動させると、改頁ローラ３（ａ）が連動回転し、捲くろうとしない中紙２（ｂ）の表面に接する部分は低摩擦部５に代わる。
【００２３】
低摩擦部５では、中紙２（ｂ）〜２（ｆ）を矢印Ｆ方向に動かすことはできない。その代り中紙２（ｂ）〜２（ｆ）は、自分自体の腰の方向に伸びようと矢印Ｅの方向に力が働く。つまり、図７の状態では、中紙２（ａ）と中紙２（ｂ）〜２（ｆ）とは別々の方向に力が働くので、「改頁する」、「改頁しない」の切り分けを確実なものとすることが可能となる。
【００２４】
アーム６（ａ）の円弧運動の途中で、改頁ローラ３の回転を止めると、中紙２（ａ）に動く力の方向がより上に向き「改頁する」、「改頁しない」の切り分けがさらにはっきりする。
【００２５】
図７に示すアーム６の円弧運動の過程による切り分け後の図６の状態で、改頁ローラ３（ａ）を半回転させると、中紙２（ａ）がはじき飛ばされ図９の状態となる。その後、通帳２を図１０に示す位置に搬送し、中紙２（ａ）が倒し込まれ、改頁動作が終了する。
【００２６】
次に、本発明の第２の実施形態を図面にしたがって説明する。なお各図面に共通する構成品については同一符号を付す。又、平面図は第１の実施形態（図２）と同じである。
【００２７】
図１１は本発明の第２の実施形態を示す構成図である。
【００２８】
１（ａ）ＵＰ，１（ｂ）ＵＰ，１（ａ）ＬＯＷ，１（ｂ）ＬＯＷは搬送ローラで、搬送ローラ１（ａ）ＵＰ，１（ａ）ＬＯＷ、搬送ローラ１（ｂ）ＵＰ，１（ｂ）ＬＯＷはそれぞれ対向して設けられ、搬送ローラ１（ａ）ＵＰ，１（ｂ）ＵＰは搬送路上側で、搬送ローラ１（ａ）ＬＯＷ，１（ｂ）ＬＯＷは搬送路下側で、図示しない駆動手段により回転し、通帳２を搬送する。通帳２の搬送路上側には、改頁ローラ３（ａ），３（ｂ）が配設され、この改頁ローラ３（ａ），３（ｂ）の円周はゴム等からなる高摩擦部４と、プラスチック系等のポリアセタール面からなる低摩擦部５で構成されている。なお、この改頁ローラ３（ａ），３（ｂ）はアーム６（ａ），６（ｂ）に支持されており、アーム６（ａ），６（ｂ）は図示しない駆動手段により、円弧運動を行う。
【００２９】
アーム６（ａ），６（ｂ）の円弧運動と独立して、改頁ローラ３（ａ），３（ｂ）は円弧上の任意の位置で図示しない駆動手段により回転運動させることができる。ただし、アーム６（ａ），６（ｂ）が円弧運動するとき、改頁ローラ３（ａ），３（ｂ）に回転運動の駆動力を与えないと、遊星運動により連動回転する。又、アーム６（ａ），６（ｂ）と改頁ロラ３（ａ），３（ｂ）は図１１に示すようにそれぞれ１セットになっており、搬送路上側で、相互に対向して、２セット設けられている。
【００３０】
また、アーム６（ａ），６（ｂ）はそれぞれ改頁ローラ３（ａ），３（ｂ）と一体となって、搬送ローラ１（ａ）ＵＰ，１（ｂ）ＵＰ、との間の上側搬送路のガイドとしても機能する。
【００３１】
前記２個の改頁ローラ３（ａ），３（ｂ）に対応する通帳２の搬送路下側の位置には、押圧手段７が設けられている。前記２セットのアーム６（ａ），６（ｂ）と押圧手段７は改頁処理時でない場合は、図１１に示すようなリセット位置の状態になっており、下側搬送路のガイドの一部となっている。押圧手段７はリセットスプリング８によりセットされている。改頁処理が必要になったとき、通帳２を押圧手段７に押し付けることにより押圧力を得ることができる構造になっている。改頁中通帳２は搬送ローラ１（ａ）ＵＰ，１（ａ）ＬＯＷ，１（ｂ）ＵＰ，１（ｂ）ＬＯＷで保持されている。
【００３２】
次に、本発明の第２の実施形態の改頁機構の動作過程について図１１及び図１２〜図１９にしたがって説明する。
【００３３】
まず、通帳２を改頁位置にセットするため、図１１に示すように装置をリセット状態にする。すなわち、２セットのアーム６（ａ），６（ｂ）は、上側搬送路を形成するホーム位置にする。さらにアーム６（ａ），６（ｂ）に支持された改頁ローラ３（ａ），３（ｂ）は高摩擦部４が、通帳２の走行の障害にならないように、搬送路側でない方向である搬送路上側に向け、低摩擦部５を搬送路側に向けて、アーム６（ａ），６（ｂ）と一体となって搬送路のガイドとなる。その状態において通帳２を図１１に示す位置にセットする。
【００３４】
次に、図１２に示すようにアーム６（ａ）を通帳２の押圧手段７上に押し付ける。さらにアーム６（ｂ）を搬送路から離れる方向（矢印Ａ）に移動させる。この実施形態では、アーム６（ａ）をホーム位置から通帳２を押し付ける方向（矢印Ｂ）に２３．５°円弧運動させている。この時、押圧手段７は回転支点部９を支点に回転し、リセットしようとする方向にリセットスプリング８の押圧力を改頁ローラ３（ａ）と通帳２の接触面に与えている。
【００３５】
次に、図１３に示すようにアーム６（ａ）上の改頁ローラ３（ａ）を回転させる。回転方向は図１３中の矢印Ｃが示す逆時計廻りである。
【００３６】
改頁ローラ３（ａ）には、図示しない位相検出手段があり、図１４に示す位置のところまで改頁ローラ３（ａ）を回転させた後、停止させる。図１４でつくり出した通帳２の捲ろうとする中紙２（ａ）の弧状の形状は、改頁ローラ３（ａ）の高摩擦部４を低摩擦部５に置き替えたら、中紙２（ａ）の弧が自力で平面に戻るレベルの大きさの弧とする。
【００３７】
次に、図１５の矢印Ｄの方向に、同図に示す位置までアーム６（ａ）を円弧運動させる。なお、図１５に示す位置は、アーム６（ａ）のリセット位置である。
【００３８】
従来例では、前述した説明のように図１４から図１５の動作過程において、アーム６（ａ）を矢印Ｄ方向への円弧運動させるとき、改頁ローラ３（ａ）はアーム６（ａ）と同じ方向に遊星運動に従って連動回転させるか、もしくは、改頁ローラ３（ａ）に対して強制的に遊星運動と反対の方向にアーム６（ａ）の回転運動と同じスピードで動力を与え、遊星運動による回転運動を止めるかしていた。
【００３９】
このため、目的ページ即ち中紙２（ａ）の捲り動作の過程で、改頁ローラ３（ａ）の高摩擦部４が中紙２（ａ）以外のページに接してしまい、高摩擦部４に接してしまった中紙２（ａ）以外のページが一緒に改頁されたりしていた。
【００４０】
その不具合を解消するため、本発明では改頁ローラ３（ａ）をアーム６（ａ）と同じ方向に遊星運動に従って連動回転したり、または強制的に遊星運動と反対の方向にアーム６（ａ）の回転運動と同じスピードで動力を与えて遊星運動による回転を止めたりせずに、改頁３（ａ）をアーム６（ａ）と逆の方向に強制的に回転運動させている。その改頁ローラ３（ａ）をアーム６（ａ）と逆の方向に強制的に回転運動させることが、上記の不具合を解消する手段となっている。
【００４１】
以下、そのアーム６（ａ）の運動途中の図である図１６とその詳細図である図１７を用いて上記の不具合を解消する機構について説明する。
【００４２】
図１６の改頁ローラ（ａ）と通帳２が接している状態を拡大した図が図１７である。
【００４３】
図１７中の矢印について説明すると、矢印Ｐは押圧手段７が押圧力を出す方向、矢印Ｑはアーム６（ａ）の円弧運動の方向、矢印Ｒは上記の不具合解消のために改頁ローラ３（ａ）を改頁させる方向、矢印Ｓは捲ろうとする中紙２（ａ）が弧の形状をとったことにより、改頁ローラ３（ａ）の高摩擦部４に中紙２（ａ）が自分自体を押し付ける力の方向、矢印Ｔは捲ろうとはしていない中紙２（ｂ）〜中紙２（ｆ）が、自分自体の腰の方向に伸びようとする方向（紙が平らに伸びようとする方向）、矢印Ｕは捲ろうとする中紙２（ａ）が結果として動いていく方向を示している。
【００４４】
捲ろうとする中紙２（ａ）は、搬送ローラ１（ｂ）ＵＰ，１（ｂ）ＬＯＷで一端を保持されて、捲ろうとする側の端部を前述したように弧の形状として、高摩擦部４との間でテンションを得ている。この状態からアーム６（ａ）を矢印Ｑの方向への円弧運動させるが、これによる連動回転を防ぐために改頁ローラ３（ａ）を矢印Ｒの方向に回転運動させている。アーム６（ａ）の矢印Ｑ方向への円弧運動、改頁ローラ３（ａ）の矢印Ｒ方向への回転運動の総合的な結果により、中紙２（ａ）は矢印Ｕの方向に動き、捲ろうとしない中紙（ｂ）〜中紙２（ｆ）は、アーム６（ａ）の矢印Ｑの方向への円弧運動の結果、押圧手段７の押圧力が減少するので捲られる方向へ動き始める可能性はしだいに低下する。
【００４５】
とくに、この実施形態では、アーム６（ａ）の円弧運動の間、改頁ローラ３（ａ）を連動運動とは逆の方向に適当な速度で回転させているので、中紙（ａ）のみ矢印Ｕの方向に動かし、捲ろうとはしていない中紙２（ｂ）〜中紙２（ｆ）には、自分自体の腰の方向に伸びようとする方向（紙が平に伸びようとする方向）矢印Ｔに中紙２（ａ）を介して力を与えることができる。ここで、改頁ローラ３（ａ）は捲ろうとする中紙２（ａ）に対しては順当に改頁ローラとして使い、捲ろうとしていない中紙２（ｂ）〜中紙２（ｆ）に対しては給紙機構でのリバースローラとして機能させている。
【００４６】
改頁ローラ３（ａ）を中紙２（ｂ）〜中紙２（ｆ）に対して、捲ろうとする方向と逆の方向矢印Ｔに力を加えたので、中紙２（ｂ）〜中紙２（ｆ）が自分自体の腰の方向に伸びようとする挙動を助けるので、中紙２（ａ）と別々の方向に力が働くことがより確実となり、「改頁する」、「改頁しない」の切り分けを一層確実なものとすることができる。
【００４７】
図１６に示すアーム６（ａ）の円弧運動の過程による切り分け後の図１５のように、通帳２が押圧手段７から押圧力を得ない状態で、改頁ローラ３（ａ）を半回転させると、中紙２（ａ）がはじき飛ばされ図１８の状態となる。その後、通帳２を図１９に示す位置に搬送し、中紙２（ａ）が倒し込まれ改頁動作が終了する。
【００４８】
以上説明したように、改頁動作の過程で、直接接して１ページのみが捲る方向に力を与え、捲ろうとはしない他のページには中紙自体の腰の方向に伸びようとする方向と同じ方向に力を与えるので、改頁しようとする目的のページのみを改頁して、他のページを改頁しないことを確実に行うことができる機構を実現することが可能となる。
【００４９】
次に、本発明の第３の実施形態について説明する。なお、構成は第２の実施形態と同様である。
【００５０】
図１７を用いた説明では、アーム６（ａ）の矢印Ｑの方向への円弧運動の間のみ改頁ローラ３（ａ）を矢印Ｒの方向へ回転運動させたが、第３の実施形態では、アーム６（ｂ）を必要なだけ矢印Ｑの方向へ円弧運動させた後、さらに改頁ローラ３（ａ）のみ矢印Ｒの方向に回転運動させるものである。
【００５１】
その他の動作は第２の実施形態と同じである。
【００５２】
これにより、第２の実施形態よりさらに強く、捲ろうとしていない中紙２（ｂ）〜中紙２（ｆ）に中紙自体の腰の方向に伸びようとする方向と同じ方向に力を与えることができる。
【００５３】
【発明の効果】
以上説明したように本発明によれば、改頁しようとする目的ページのみ改頁して、他のページを改頁しないことを確実に行うことができる機構を実現することが可能となる。
【図面の簡単な説明】
【図１】本発明の第１の実施形態を示す構成図
【図２】本発明の実施形態の平面図
【図３】本発明の実施形態の動作過程を示す説明図
【図４】本発明の実施形態の動作過程を示す説明図
【図５】本発明の実施形態の動作過程を示す説明図
【図６】本発明の実施形態の動作過程を示す説明図
【図７】本発明の実施形態の動作過程を示す説明図
【図８】本発明の実施形態の動作過程を示す説明図
【図９】本発明の実施形態の動作過程を示す説明図
【図１０】本発明の実施形態の動作過程を示す説明図
【図１１】本発明の第２の実施形態を示す構成図
【図１２】本発明の実施形態の動作過程を示す説明図
【図１３】本発明の実施形態の動作過程を示す説明図
【図１４】本発明の実施形態の動作過程を示す説明図
【図１５】本発明の実施形態の動作過程を示す説明図
【図１６】本発明の実施形態の動作過程を示す説明図
【図１７】本発明の実施形態の動作過程を示す説明図
【図１８】本発明の実施形態の動作過程を示す説明図
【図１９】本発明の実施形態の動作過程を示す説明図
【符号の説明】
１    搬送ローラ
１（ａ）  ＵＰ，１（ａ）  ＬＯＷ，１（ｂ）  ＵＰ，１（ｂ）  ＬＯＷ    搬送ローラ
２    通帳
３    改頁ローラ
４    高摩擦部
５    低摩擦部
６    アーム
７    押圧手段
８    リセットスプリング
９    回転支点部
【図１】
0003625987.tif 000002
【図２】
0003625987.tif 000003
【図３】
0003625987.tif 000004
【図４】
0003625987.tif 000005
【図５】
0003625987.tif 000006
【図６】
0003625987.tif 000007
【図７】
0003625987.tif 000008
【図８】
0003625987.tif 000009
【図９】
0003625987.tif 000010
【図１０】
0003625987.tif 000011
【図１１】
0003625987.tif 000012
【図１２】
0003625987.tif 000013
【図１３】
0003625987.tif 000014
【図１４】
0003625987.tif 000015
【図１５】
0003625987.tif 000016
【図１６】
0003625987.tif 000017
【図１７】
0003625987.tif 000018
【図１８】
0003625987.tif 000019
【図１９】
0003625987.tif 000020